(57)【特許請求の範囲】
【請求項１】
固定枠内に嵌合する枠体を該固定枠内に固定するための取り付け方法であって、枠体を形成する枠材の幅方向に沿って長い矩形の板状に形成され、枠体を形成する枠材の外周面で固定枠と対向する面に固定する板状アンカープレート（１５）と、固定枠を形成する枠材の外面に重ねて固定する取り付け板（１８）に、固定枠の枠体と対向する面に位置させる差込み片（１９）を設けたＬ形の固定プレート（１６）とを用い、前記アンカープレート（１５）と前記差込み片（１９）に一対となる差込み結合部（１７）を設け、外面にアンカープレート（１５）を固定した枠体を固定枠内に嵌め込み、固定枠と枠体の枠材間に形成された嵌合隙間に固定プレート（１６）の差込み片（１９）を挿入し、この嵌合隙間に対して、固定枠と枠体の枠材における長さ方向に沿って差込み片（１９）が移動するように該固定プレート（１６）を動かし、前記アンカープレート（１５）と前記差込み片（１９）に形成した一対となる差込み結合部（１７）を互に結合させ、板状アンカープレート（１５）と固定プレート（１６）を連結し、この後固定プレート（１６）を固定枠に止着具で固定することを特徴とする枠体の取り付け方法。
【請求項２】
固定枠内に嵌合する枠体を該固定枠内に固定するための取り付け装置であって、枠体を形成する枠材の幅方向に沿って長い矩形の板状に形成され、枠体を形成する枠材の外周面で固定枠と対向する面に固定する板状アンカープレート（１５）と、固定枠を形成する枠材の外面に重ねて固定する取り付け板（１８）に、固定枠の枠体と対向する面に位置させる差込み片（１９）を設けたＬ形の固定プレート（１６）とからなり、
前記アンカープレート（１５）と前記差込み片（１９）に、外面にアンカープレート（１５）を固定した枠体を固定枠内に嵌め込み、固定枠と枠体の枠材間に形成された嵌合隙間に固定プレート（１６）の差込み片（１９）を挿入し、この嵌合隙間に対して、固定枠と枠体の枠材における長さ方向に沿って差込み片（１９）が移動するように該固定プレート（１６）を動かした時に、互に結合して板状アンカープレート（１５）と固定プレート（１６）を連結する一対の差込み結合部（１７）が設けられている枠体の取り付け装置。
【発明の詳細な説明】
【０００１】
【発明の属する技術分野】
この発明は、枠体の取り付け方法と装置、更に詳しくは、ドア外枠や窓枠を建物側の固定枠内に対して固定するための取り付け方法と装置に関する。
【０００２】
【従来の技術】
例えば、間仕切り壁にドア外枠を取り付ける施工において、間仕切り柱で形成された固定枠内に対して、ドア外枠を嵌め込んで固定するための、従来の取り付け方法は、金属プレートを用いて間仕切り柱に外嵌するコ字状の固定金具を形成し、この固定金具をドア外枠の外周面に所要の配置で固定し、固定枠内にドア外枠を嵌め込んで固定枠を固定金具に嵌合させ、この後、固定金具を釘等の打ちつけで固定枠に固着させることにより、固定枠内に対してドア外枠を取り付けるようにしている。
【０００３】
ところで、ドア外枠の取り付けにおいて、ドア外枠は固定枠内に僅かな嵌合隙間を介して嵌まり合うようになっているため、ドア外枠の外周面にコ字状の固定金具を予め突出状に固定しておくと、固定枠内へのドア外枠の嵌め込み作業時に、固定金具が固定枠に干渉して嵌め込みが行えないことになる。
【０００４】
このため、従来は、ドア外枠に固定したコ字状の固定金具の対向する一片を、ドア外枠の外周から一面側の外方へ突出するように、根元の部分から折り曲げておき、この固定金具の折り曲げた側からドア外枠を固定枠内へ嵌挿し、固定金具の他片が固定枠に当接した時点で、固定金具の上記一片を元に戻して固定枠に重ね、この後固定金具を釘の打ち込みで固定枠に固定するようにしている。
【０００５】
【発明が解決しようとする課題】
上記のように、従来の取り付け方法は、固定枠内へのドア外枠の嵌め込み作業時に、ドア外枠の外周面に固定したコ字状固定金具の一片の折り曲げと、元に戻す作業を必要とするため、固定枠内へのドア外枠の固定において、固定枠内へのドア外枠の嵌め込み及び固定作業に手間と時間がかかるという問題がある。
【０００６】
そこで、この発明の課題は、固定枠内へのドア外枠の固定において、固定金具の折り曲げを必要とすることなく嵌め込み作業が行え、作業の簡略化と能率向上が図れる枠体の取り付け方法と装置を提供することにある。
【０００７】
【課題を解決するための手段】
上記のような課題を解決するため、請求項１の発明は、固定枠内に嵌合する枠体を該固定枠内に固定するための取り付け方法であって、枠体を形成する枠材の幅方向に沿って長い矩形の板状に形成され、枠体を形成する枠材の外周面で固定枠と対向する面に固定する板状アンカープレート（１５）と、固定枠を形成する枠材の外面に重ねて固定する取り付け板（１８）に、固定枠の枠体と対向する面に位置させる差込み片（１９）を設けたＬ形の固定プレート（１６）とを用い、前記アンカープレート（１５）と前記差込み片（１９）に一対となる差込み結合部（１７）を設け、外面にアンカープレート（１５）を固定した枠体を固定枠内に嵌め込み、固定枠と枠体の枠材間に形成された嵌合隙間に固定プレート（１６）の差込み片（１９）を挿入し、この嵌合隙間に対して、固定枠と枠体の枠材における長さ方向に沿って差込み片（１９）が移動するように該固定プレート（１６）を動かし、前記アンカープレート（１５）と前記差込み片（１９）に形成した一対となる差込み結合部（１７）を互に結合させ、板状アンカープレート（１５）と固定プレート（１６）を連結し、この後固定プレート（１６）を固定枠に止着具で固定する構成を採用したものである。
【０００８】
請求項２の発明は、固定枠内に嵌合する枠体を該固定枠内に固定するための取り付け装置であって、枠体を形成する枠材の幅方向に沿って長い矩形の板状に形成され、枠体を形成する枠材の外周面で固定枠と対向する面に固定する板状アンカープレート（１５）と、固定枠を形成する枠材の外面に重ねて固定する取り付け板（１８）に、固定枠の枠体と対向する面に位置させる差込み片（１９）を設けたＬ形の固定プレート（１６）とからなり、
前記アンカープレート（１５）と前記差込み片（１９）に、外面にアンカープレート（１５）を固定した枠体を固定枠内に嵌め込み、固定枠と枠体の枠材間に形成された嵌合隙間に固定プレート（１６）の差込み片（１９）を挿入し、この嵌合隙間に対して、固定枠と枠体の枠材における長さ方向に沿って差込み片（１９）が移動するように該固定プレート（１６）を動かした時に、互に結合して板状アンカープレート（１５）と固定プレート（１６）を連結する一対の差込み結合部（１７）が設けられている構成を採用したものである。
【０００９】
ここで、枠体は、金属板を折り曲げ加工した一対の縦枠と天枠及び下枠を結合して形成され、アンカープレートは、縦枠と天枠の外面に各々所定の間隔で固定され、固定プレートは、両側に一対となり、金属板の一端に差込み片をＬ字状に折り曲げて形成され、この固定プレートとアンカープレートの重なり部分に設けられた一対の差込み結合部は、固定プレートの差込み片を挿入する保持部と、差込み片と固定プレートの重なり部分に設けた突起と係合孔によって形成され、差込み片を保持部に挿入すると突起と係合孔が結合し、固定プレートに対して差込み片が固定化されるようになっている。
【００１０】
【発明の実施の形態】
以下、この発明の実施の形態を図示例と共に説明する。
【００１１】
図１乃至図３に示す第１の実施の形態において、枠体の一例であるドア外枠１は、一対の縦枠２、２と天枠３及び下枠４をコーナ部分で結合して枠状に形成され、一対の縦枠２、２と天枠３に用いる型材は、鋼板を用い、帯状基板５の幅方向中央部に戸当たり用の凸部６を長さ方向に沿って設け、該基板５の両側縁に側板７、７を凸部６と反対側へ対向状に折り曲げ連成し、両側板７、７の端縁に内側へ向けて直角に折れ曲がる折り返し壁８、８を連成し、この折り返し壁８、８の端縁から連なって帯状基板５側へ折れ曲がる内向き片９、９と、該内向き片９、９の端縁から連なって帯状基板５と平行するよう直角に相手側へ屈曲する片１０、１０とを設けた断面形状を有している。なお、ドア外枠１の外表面は、塗装や貼り付けにより、着色や模様が施されている。
【００１２】
上記ドア外枠１を嵌め合わせて固定する間仕切りの固定枠１１は、両側の木製縦柱１２、１２と水平の上桟１３とで形成され、この固定枠１１の両面には、図２（Ａ）の如く、ドア外枠１の固定後に、石膏ボード等の壁面材１４、１４が張設される。
【００１３】
前記ドア外枠１を固定枠１１に固定する取り付け装置は、ドア外枠１の縦枠２、２と天枠３の外周面に適宜の間隔で固定したアンカープレート１５と、このアンカープレート１５と結合した状態で固定枠１１の両側に固定する一対の固定プレート１６、１６の組み合わせからなり、アンカープレート１５と固定プレート１６、１６の重なり面に一対の差込み結合部１７が設けられている。
【００１４】
上記アンカープレート１５は、ドア外枠１の縦枠２、２と天枠３において、対向する内向き片９と９間に納まる長さの帯状金属板を用いて形成され、両端が片１０、１０に重なり状態でリベット止め等の手段を用いて固定され、また、一対の固定プレート１６、１６は、金属板を用い、縦柱１２、１２又は水平の上桟１３に重ねて固定する取り付け板１８の一端側に、アンカープレート１５への差込み片１９を直角に折り曲げて形成され、取り付け板１８には釘やビスの打ち込み孔２４が複数設けられている。
【００１５】
前記アンカープレート１５と両固定プレート１６、１６の差込み片１９が互いに重なり合う位置に、固定枠１１とドア外枠１の嵌合隙間Ｗの長さ方向に沿って固定プレート１６、１６を移動させることにより結合し、アンカープレート１５に対して固定プレート１６、１６を固定化する一対の差込み結合部１７が各々設けられている。
【００１６】
この差込み結合部１７は、図２と図３に示すように、固定プレート１６の差込み片１９を挿入するようアンカープレート１５に設けた保持部２０と、差込み片１９と固定プレート１５の重なり部分に設けた突起２１と係合孔２２によって形成され、差込み片１９を保持部２０に挿入すると突起２１と係合孔２２が結合し、アンカープレート１５に対して差込み片１９が固定化されるようになっている。
【００１７】
上記差込み片１９の上縁に切り欠き２３を設けると共に、アンカープレート１５の保持部２０はこの切り欠き２３が嵌合する幅を有する切り起こしによって形成され、保持部２０に差込み片１９を挿入すると、アンカープレート１５に設けた係合孔２２に、差込み片１９の突起２１が嵌まり合い、アンカープレート１５に対して固定プレート１６が固定化されることになる。
【００１８】
第１の実施の形態の枠体の取り付け装置は、上記のような構成であり、次にドア外枠の取り付け方法を説明する。
【００１９】
図３のように、組立てたドア外枠１の縦枠２、２と天枠３の外面に、アンカープレート１５を所定の間隔で固定し、このドア外枠１を間仕切りの固定枠１１内に嵌め合わせ、この状態を保持したまま、間仕切りの一面側において、アンカープレート１５の保持部２０に対して開口する側の位置で、固定枠１１とドア外枠１の嵌合隙間Ｗに固定プレート１６の差込み片１９を挿入し、取り付け板１８を縦柱１２又は水平横桟１３の外面に重ねた状態で、この固定プレート１８を上記嵌合隙間Ｗの長さ方向に沿って移動させ、差込み片１９をアンカープレート１５の保持部２０に挿入させると、突起２１と係合孔２２が結合し、アンカープレート１５に固定プレート１６が固定化される。
【００２０】
このようにして、各アンカープレート１５に対して同様の方法で、固定プレート１６の取り付けを行い、間仕切りの他面側においても同じように、固定枠１１とドア枠１の嵌合隙間Ｗに差込み片１９を挿入して、固定プレート１６を嵌合隙間Ｗの長さ方向に移動させることにより、各アンカープレート１５に対して固定プレート１６の取り付けを行い、各固定プレート１６の取り付け板１８を打ち込み孔２４から打ち込んだ釘やビスによって縦柱１２又は水平横桟１３に固定する。
【００２１】
これによって、ドア外枠１は、固定金具の折り曲げ作業を必要とすることなく、アンカープレート１５と固定プレート１６を介して固定枠１１に固定化され、この後、縦柱１２及び水平横桟１３の両面に壁面材１４、１４を張設し、間仕切りを完成する。
【００２２】
なお、上記説明では、固定プレート１６の取り付けを、間仕切りの両面側において別々に行ったが、ドア外枠１の各アンカープレート１５に対する固定プレート１６の取り付けを、間仕切りの一面側に該当する側に予めセットしておき、固定枠１１内にドア外枠１を嵌め込んだとき、この固定プレート１６の取り付け板１８を縦柱１２及び水平横桟１３に当接させ、この状態で間仕切りの一面側に該当する側で、各アンカープレート１５に対する固定プレート１６の取り付けを行うようにしてもよい。
【００２３】
更に、上記固定プレート１６の取り付けを、間仕切りの一面側に該当する側に予めセットしておくのに代えて、各アンカープレート１５の一方端部に、固定プレート１６の取り付け板１８に該当する板を、一体又は別体に設けておくようにしてもよい。
【００２４】
このようにすると、固定プレート１６の差込み操作による、固定枠１１へのドア外枠１の固定作業が、間仕切りの一面側のみで行えることになり、作業能率が大幅に向上する。
【００２５】
次に、図４と図５に示す第２の実施の形態を説明する。先に説明した第１の実施の形態では、アンカープレート１５に対する一対の固定プレート１６の取り付けを、アンカープレート１５に同一方向から差し込むようにしていたので、一対の固定プレート１６は、両側に対称形状となる二種類が必要であった。
【００２６】
これに対し、この第２の実施の形態は、アンカープレート１５への一対の固定プレート１６の取り付けを、アンカープレート１５の逆方向から行うような構造とし、一対の固定プレート１６に等しい構造のものを用いることができ、固定プレート１６が一種類ですむようにしたものである。なお、第１の実施の形態と同じ部分には、同一符号を付して説明に代える。
【００２７】
図４と図５（Ａ）、（Ｂ）に示すように、アンカープレート１５の両側に設ける保持部２０と２０を、該アンカープレート１５から一体の切り起こしで形成すると共に、この切り起こしの向きをアンカープレート１５の幅方向へ逆向きに設け、アンカープレート１５には、保持部２０と２０に対して固定プレート１６を挿入する先端側の位置に、保持部２０の切り起こしの折り曲げによって発生した孔を利用して係合孔２２が形成されている。
【００２８】
固定プレート１６は、差込み片１９における平行辺の一辺コーナ部分に保持部２０へ嵌合する切り欠き２３を設け、この差込み片１９と反対側の位置に係合孔２２に対して係合する突起２１が、切り起こしによって形成されている。
【００２９】
第２の実施の形態は上記のような構成であり、ドア外枠１を固定枠１１に固定するには、ドア外枠１を固定枠１１に嵌め込み、間仕切りの両面側における嵌合隙間Ｗで、ドア外枠１に固定した各アンカープレート１５を挟む位置に、固定プレート１６の差込み片１９を挿入し、該固定プレート１６を嵌合隙間Ｗの長さ方向に沿ってアンカープレート１５に接近するよう移動させ、差込み片１９を対応する保持部２０と２０内に嵌挿すると、突起２１が係合孔２２に係合し、アンカープレート１５に固定プレート１６が固定され、この後第１の実施の形態と同様の手順でドア外枠１を固定枠１１に固定化する。
【００３０】
この第２の実施の形態においては、アンカープレート１５に対して両側の位置から固定プレート１６を取り付ける構造とすることにより、単一構造の固定プレート１６を逆に配置することによって使用でき、構成部品数の削減が図れると共に、アンカープレート１５に対して両側の位置から固定プレート１６を取り付ける構造とすることにより、アンカープレート１５を挟んで両側の異なった位置でドア外枠１を固定枠１１に固定するので、ドア外枠１の固定枠１１に対する固定強度が安定向上する。
【００３１】
【発明の効果】
以上のように、この発明によると、固定枠内への枠体の嵌め込み固定において、固定枠と枠体の嵌合隙間を利用して、アンカープレートに対する固定プレートの取り付けを行うようにしたので、固定枠内への枠体の嵌め込み固定時に、従来のような、取り付け金具を折り曲げた後、これを元に戻す作業が不要になり、固定プレートを嵌合隙間の長さ方向に移動させるだけで、アンカープレートに対する取り付けが行え、固定枠内への枠体の嵌め込み固定作業の簡略化と能率向上が図れる。
【図面の簡単な説明】
【図１】固定枠へのドア外枠の固定状態を示す正面図
【図２】（Ａ）は固定枠へのドア外枠の固定状態を示す横断面図、（Ｂ）は（Ａ）の矢印ｂ−ｂに沿う縦断面図
【図３】ドア外枠と取り付け装置の第１の実施の形態を示す分解斜視図
【図４】ドア外枠と取り付け装置の第２の実施の形態を示す分解斜視図
【図５】（Ａ）は同上の結合部分を示す横断面図、（Ｂ）は（Ａ）の矢印ｂ−ｂの縦断面図
【符号の説明】
１  ドア外枠
２  縦枠
３  天枠
４  下枠
５  基板
６  凸部
１１  固定枠
１２  縦柱
１３  上桟
１５  アンカープレート
１６  固定プレート
１７  差込み結合部
１８  取り付け板
１９  差込み片
２０  保持部
２１  突起
２２  係合孔
２３  切り欠き
２４  打ち込み孔
【図１】
0003727443.tif 000002
【図２】
0003727443.tif 000003
【図３】
0003727443.tif 000004
【図４】
0003727443.tif 000005
【図５】
0003727443.tif 000006